(57)【要約】【課題】電源を要することなく収容家具内の空気を収納家具用の薬剤に効率的に接触させて消臭等を促進できる収納家具の可動部、薬剤収容容器および収納家具を提供する。【解決手段】収容家具であるシューズボックス１００の扉１は、靴等の収納物を出し入れするときに開閉移動される。上記シューズボックス１００の内部側に面する裏面側に収納家具用の薬剤３が収容される薬剤収容容器２が取り付けられており、この薬剤収容容器２には上記開閉移動のときに生じる気流を通す開口部が形成されている。【選択図】図１
2016154591.tif 000002
【特許請求の範囲】
【請求項１】
収納物を出し入れするときに移動される収納家具の可動部において、裏面側に収納家具用の薬剤が収容される薬剤収容容器が取り付けられており、この薬剤収容容器には空気を通す開口部が形成されていることを特徴とする収納家具の可動部。
【請求項２】
請求項１に記載の収納家具の可動部において、上記薬剤収容容器の上記開口部には上記薬剤収容容器内に収容された薬剤に向けて空気を導く板状部が形成されていることを特徴とする収納家具の可動部。
【請求項３】
請求項２に記載の収納家具の可動部において、上記薬剤収容容器の上記板状部における空気を導く面が上記可動部の移動により生じる気流の方向と略平行であることを特徴とする収納家具の可動部。
【請求項４】
請求項１〜請求項３のいずれか１項に記載の収納家具の可動部において、上記移動のために人に把持される把手が設けられており、この把手を固定する螺子によって上記薬剤収容容器が取り付けられていることを特徴とする収納家具の可動部。
【請求項５】
収納家具用の薬剤が収容される薬剤収容容器であって、収納物を出し入れするときに移動される収納家具の可動部の裏面側に取り付けて用いられ、空気を通す開口部が形成されていることを特徴とする薬剤収容容器。
【請求項６】
請求項５に記載の薬剤収容容器において、上記開口部には収容された薬剤に向けて空気を導く板状部が形成されていることを特徴とする薬剤収容容器。
【請求項７】
請求項６に記載の薬剤収容容器において、上記板状部における空気を導く面が上記可動部の移動により生じる気流の方向と略平行であることを特徴とする薬剤収容容器。
【請求項８】
請求項５〜請求項７のいずれか１項に記載の薬剤収容容器において、上記可動部に設けられる把手を固定する螺子に係合できる係合部を有することを特徴とする薬剤収容容器。
【請求項９】
請求項１〜請求項４のいずれか１項に記載の可動部を備える収納家具。
【発明の詳細な説明】
【技術分野】
【０００１】
この発明は、靴等の収納物が収納される収納家具の可動部、薬剤収容容器および収納家具に関する。
【背景技術】
【０００２】
特許文献１には、ボックス本体の内部空間を、上下方向に空気を疎通させるための空気通路を残して通気性の中仕切り板によって上下多段の収納室に区画するとともに、ボックス本体の内部に、酸化チタン光触媒部材と、酸化チタン光触媒部材を励起する紫外線光源と、殺菌灯であるＵＶランプと、消臭剤である活性炭とを配設し、空気通路に送風ファンを設置してボックス本体内部の空気を空気通路と通気性の中仕切り板とを介して強制循環させる収納ボックスが開示されている。
【先行技術文献】
【特許文献】
【０００３】
【特許文献１】特開２００４−２７５７５８号公報
【発明の概要】
【発明が解決しようとする課題】
【０００４】
しかしながら、上記収納ボックスでは、紫外線光源や送風ファンを備えるため、これらを駆動する電源が必要になり、高額化する欠点がある。また、シューズボックス等に消臭剤などの薬剤を単に置くことでも靴等の臭いを取り除くことが可能であるが、このように薬剤を単に置くのでは、上記薬剤に効率的に空気を接触させて消臭することはできない。
【０００５】
この発明は、上記の事情に鑑み、電源を要することなく空気を収納家具用の薬剤に効率的に接触させて消臭等を促進できる収納家具の可動部、薬剤収容容器および収納家具を提供することを課題とする。
【課題を解決するための手段】
【０００６】
この発明の収納家具の可動部は、上記の課題を解決するために、収納物を出し入れするときに移動される収納家具の可動部において、裏面側に収納家具用の薬剤が収容される薬剤収容容器が取り付けられており、この薬剤収容容器には空気を通す開口部が形成されていることを特徴とする。
【０００７】
上記の構成であれば、収納物を出し入れするときの上記可動部の移動により生じる気流や上記可動部とともに上記薬剤収容容器自体が移動することにより、空気が上記開口部を通って上記薬剤収容容器内の上記薬剤に接触する。これにより、電源を要することなく空気を上記薬剤に効率的に接触させて消臭等を促進できることになる。
【０００８】
上記薬剤収容容器の上記開口部には上記薬剤収容容器内に収容された薬剤に向けて空気を導く板状部が形成されていてもよい。これによれば、空気をより効率的に上記薬剤に接触させることができる。
【０００９】
上記薬剤収容容器の上記板状部における空気を導く面が上記可動部の移動により生じる気流の方向と略平行であってもよい。これによれば、上記気流に逆らわずに効率的に上記気流を上記薬剤に接触させることができる。
【００１０】
上記移動のために人に把持される把手が設けられており、この把手を固定する螺子によって上記薬剤収容容器が取り付けられていてもよい。これによれば、接着剤等で取り付ける場合の上記可動部の裏面の汚れを防止できる。
【００１１】
また、この発明の薬剤収容容器は、収納家具用の薬剤が収容される薬剤収容容器であって、収納物を出し入れするときに移動される収納家具の可動部の裏面側に取り付けて用いられ、空気を通す開口部が形成されていることを特徴とする。
【００１２】
上記の構成であれば、収納物を出し入れするときの上記可動部の移動により生じる気流や上記可動部とともに上記薬剤収容容器自体が移動することにより、空気が上記開口部を通って上記薬剤収容容器内の上記薬剤に接触する。これにより、電源を要することなく収容家具内の空気を上記薬剤に効率的に接触させて消臭等を促進できることになる。なお、このような薬剤収容容器を単独で市販し、後付けで上記可動部に取り付けることが可能である。
【００１３】
上記開口部には収容された薬剤に向けて空気を導く板状部が形成されていてもよい。これによれば、空気をより効率的に上記薬剤に接触させることができる。上記板状部における空気を導く面が上記可動部の移動により生じる気流の方向と略平行であってもよい。これによれば、上記気流に逆らわずに効率的に上記気流を上記薬剤に接触させることができる。
【００１４】
上記可動部に設けられる把手を固定する螺子に係合できる係合部を有してもよい。これによれば、上記可動部に薬剤収容容器を接着剤等で固定する場合の上記可動部の汚れを防止できる。
【００１５】
また、この発明の収納家具は、上記可動部を備えることを特徴とする。
【発明の効果】
【００１６】
本発明であれば、電源を要することなく収容家具内の空気を薬剤に効率的に接触させて消臭等を促進できるという効果を奏する。
【図面の簡単な説明】
【００１７】
【図１】本発明の実施形態を示す図であって、収納家具の一例としてのシューズボックス、収納家具の可動部としての扉および薬剤収容容器を示した概略の斜視図である。
【図２】図１のシューズボックスの扉に設けられた薬剤収容容器の概略を示す図であって、同図（Ａ）は背面図、同図（Ｂ）は同図（Ａ）のＡ−Ａ矢視断面図、同図（Ｃ）は側面図である。
【図３】図１のシューズボックスの扉が開閉（移動）されるときの気流の発生を示した説明図である。
【図４】本発明の他の実施形態を示す図であって、収納家具の可動部としての折り戸を示した概略の平面図である。
【図５】本発明の他の実施形態を示す図であって、収納家具の可動部としての引き違い戸を示した概略の平面図である。
【発明を実施するための形態】
【００１８】
図１に示すように、この実施形態では、収容家具としてシューズボックス１００を例示している。また、収納物である靴等を出し入れするときに移動される収容家具の可動部として、扉１を例示している。上記扉１は、ボックス本体の前面側の左右端に設けられた図示しないヒンジ（蝶番）に支持され、縦軸回りに回動して観音開きで開閉する。上記縦軸（ヒンジ）から最も遠くに位置する上記扉１の端部は、上記扉１の開閉により生じる移動の距離が最も長い箇所となる。
【００１９】
上記縦軸（ヒンジ）から最も遠くに位置する各扉１の端部の近傍の表面側には、把手１１が設けられている。上記把手１１は上側からまたは下側から手を差し入れることができるタイプであるが、横から手を差し入れることができるタイプ等とすることもできる。
【００２０】
そして、上記扉１の裏面には、収納家具用の薬剤３が収容される薬剤収容容器２が取り付けられる。上記薬剤３としては、芳香剤、消臭剤、脱臭剤、防虫剤等がある。また、その形態としては、ビーズ状、ブロック状、袋詰め状、箱詰め状等がある。上記薬剤収容容器２は、上記シューズボックス１００に予め取り付けられているものでもよいし、後付け用として市販されるものでもよい。
【００２１】
図２（Ａ）、図２（Ｂ）および図２（Ｃ）に示すように、上記薬剤収容容器２は、例えば、本体部２１と、当該本体部２１の背面側の一方の縁から延設されている取付部２２とからなる。上記本体部２１の底側には上記薬剤３を受ける底板部２１ａが形成されており、上面側には上記薬剤３の補充用開口が形成された枠部が形成されている。また、上記本体部２１の前面側および左右面側には、空気を略水平方向に通過させるように開口部２１ｂが形成されている。
【００２２】
上記開口部２１ｂには、扁平形状の複数の板状部２１ｃが形成されており、これら板状部２１ｃおよび角部に形成された柱部２１ｄによって、上記本体部２１の上側の枠部と下側の底板部２１ａとが連結固定されている。上記板状部２１ｃの一部分は、上記開口部２１ｂの開口端面から突出している。また、上記板状部２１ｃの全部または一部は、上記開口部２１ｂの開口端面に対して斜めに配置されており、この斜め配置の板状部２１ｃにおける空気を導く面は、上記扉１の開閉で生じる気流の方向と略平行になっている。
【００２３】
上記取付部２２の縁部には、フック部（係合部）２２ａが形成されている。このフック部２２ａは、上側部分が円弧状に切り欠かれた係合部位と、この係合部位に上記取付部２２の縁部から連通する連通部位とからなる。なお、上記フック部２２ａは、上記本体部２１の横側に形成されているが、上記本体部２１の上側等に形成されていてもよい。
【００２４】
図３に示すように、上記把手１１は、上記扉１の裏面に水平方向に間隔をおいて設けられた２本の螺子１１ａによって固定されている。そして、上記薬剤収容容器２は、その背面側を上記扉１の裏面に向け、その前面側を上記シューズボックス１００の内側に向けて取り付けられる。
【００２５】
上記薬剤収容容器２は、上記２本の螺子１１ａのうち上記縦軸（ヒンジ）から遠い位置の螺子１１ａに上記フック部２２ａを引っ掛けることにより上記扉１に固定されている。また、上記本体部２１の横側に上記フック部２２ａが設けられているため、上記縦軸（ヒンジ）から遠い位置の螺子１１ａよりもさらに遠い箇所に当該本体部２１が位置できることになる。
【００２６】
上記薬剤収容容器２は、上記扉１の開閉により生じる移動の距離が長い箇所に設けられるのが望ましく、例えば、上記扉１を左右に２分割した２領域のうち、上記縦軸（ヒンジ）から遠い側の領域（移動距離の長い方の領域）に、上記薬剤収容容器２の全体または一部を位置させるのがよい。或いは、上記扉１を左右に３分割した３領域のうち、上記縦軸（ヒンジ）から最も遠い領域（移動距離の最も長い方の領域）、或いは、上記扉１を左右に４分割した４領域のうち、上記縦軸（ヒンジ）から最も遠い領域（移動距離の最も長い方の領域）に、上記薬剤収容容器２の全体または一部を位置させるのがよい。
【００２７】
上記の構成であれば、収納物を出し入れするときの上記扉１の移動により生じる気流や上記扉１とともに上記薬剤収容容器２自体が移動することにより、空気が上記開口部２１ｂを通って上記薬剤収容容器２内の上記薬剤３に接触する。これにより、電源を要することなく上記シューズボックス１００内の空気を上記薬剤３に効率的に接触させて消臭等が図れることになる。
【００２８】
上記開口部２１ｂに上記板状部２１ｃが形成されていると、空気を効率的に上記薬剤３に接触させることができる。また、上記板状部２１ｃの一部分が上記本体部２１の開口端から突出していると、上記開口部２１ｂ付近の空気を上記薬剤収容容器２内に一層効率的に導くことができる。さらに、上記板状部２１ｃにおける空気を導く面が上記扉１の開閉で生じる気流の方向と略平行になっていると、この気流に逆らわずに効率的に上記気流を上記薬剤３に接触させることができる。なお、上記柱部２１ｄを無くし、上記板状部２１ｃのみからなる形状を採用することにより、さらに効率的に空気を上記薬剤収容容器２内に導くことができる。
【００２９】
ここで、上記シューズボックス１００が集合住宅等で作り付けされている場合には、市販品を接着剤等で後付けすることが禁じられることがある。このような場合でも、上記フック部２２ａ付きの薬剤収容容器２であれば、上記把手１１を固定する既存の螺子１１ａに引っ掛けて上記扉１に取り付けることができるので、接着剤等で固定する場合の上記扉１の汚れといった問題を回避できる。上記取付部２２に形成した取付孔を係合部とすることもできるが、この場合は、上記螺子１１ａを完全に外さないと、この螺子１１ａに上記取付孔を係合させることができない。上記フック部２２ａであれば、上記螺子１１ａを完全に外さなくても、上記フック部２２ａを上記螺子１１ａに係合させることができる。上記シューズボックス１００において当初から薬剤収容容器を設けておく場合には、上記フック部２２ａは特に必要としない。
【００３０】
収納家具の可動部として扉１を例示したが、これに限らず、図４に示すような折り戸１Ａでもよく、このような折り戸１Ａの裏面に上記薬剤収容容器２（フック部２２ａ付きに限らない）を設けてもよいものである。この場合も、上記薬剤収容容器２は、移動距離の長い箇所に設けられるのが望ましく、例えば、各折り戸１Ａを構成する片端固定側の折り戸部分と両端移動側の折り戸部分うち、移動距離の長い両端移動側の折り戸部分に設けられるのがよい。上記移動距離は、上記折り戸部分の横方向の移動と前後方向の移動の総和となる。また、上記両端移動側の折り戸部分に上記薬剤収容容器２を設けておくと、薬剤３の補充も行いやすい。
【００３１】
さらに、上記可動部は、図５に示す引き違い戸１Ｂでもよく、このような引き違い戸１Ｂの裏面に上記薬剤収容容器２（フック部２２ａ付きに限らない）を設けてもよいものである。上記引き違い戸１Ｂを移動させても、シューズボックス１００の内外の気圧差による気流はあまり生じないが、上記引き違い戸１Ｂとともに上記薬剤収容容器２が移動することにより、上記シューズボックス１００内の空気が効率的に薬剤３に接触することになる。
【００３２】
また、収納家具は、上記シューズボックス１００に限らず、衣類等を収納する収納家具等が含まれる。また、上記薬剤収容容器２は、収納家具の可動部の厚みを利用して全部または一部が内蔵されるようにしてもよく、これによれば、収納家具の内部側への上記薬剤収容容器２の出っ張り量を少なくすることができる。
【００３３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３４】
１      扉（可動部）
１Ａ    折り戸（可動部）
１Ｂ    引き違い戸（可動部）
１１    把手
１１ａ  螺子
１００  シューズボックス（収納家具）
２      薬剤収容容器
２１    本体部
２１ｂ  開口部
２１ｃ  板状部
２２    取付部
３      薬剤
【図１】
2016154591.tif 000003
【図２】
2016154591.tif 000004
【図３】
2016154591.tif 000005
【図４】
2016154591.tif 000006
【図５】
2016154591.tif 000007